(57)【要約】      （修正有）【課題】点滴量の微細な調節を行うことができ、かつ、装置全体を安定的に定位置に設置し、適量の水等を所望の高さから各種の態様で滴下させることができ、しかも、使用済みのペットボトル等を用いて安価でエコ運動にも貢献できる園芸用ドリップ装置を提供する。【解決手段】上部にペットボトル等の口部に係合する水受口を設けた受水槽の底部に、１又は複数の導水管を連結し、各導水管には調節弁を取り付け、該導水管の下端近傍をノズル担子の係止部とした。【選択図】図１
0003153874.tif 000002
【実用新案登録請求の範囲】
【請求項１】
上部に水受口を設けた受水槽の底部に１又は複数の導水管を連結し、各導水管には調節弁を取り付け、該導水管の下端近傍をノズル担子の係止部としたことを特徴とする園芸用ドリップ装置。
【請求項２】
調節弁を雄ねじとし、その先端を導水管の管路に当接させることができるような形にしたことを特徴とする園芸用ドリップ装置。
【請求項３】
受水槽の水受口を、使用済みのペットボトル等の口部に係合できる形にした請求項１又は請求項２に記載の園芸用ドリップ装置と、前記使用済みのペットボトル等との組み合わせからなるドリップ装置。
【請求項４】
受水槽に支持枠を取り付け、支持枠の先端部に支持棒係合部を設けた請求項１、請求項２又は請求項３に記載の園芸用ドリップ装置と、下部の両脇に回り止めフィンを具備した前記支持棒又は導水管を担持するノズル担子との組み合わせからなるドリップ装置。
【考案の詳細な説明】
【技術分野】
【０００１】  本考案は、使用済みのペットボトル等を用いて、草花その他の園芸植物に対して、自動的に長期間適量の水やりや液体施肥など（以下、「水等の給水」と略記する。）をすることのできる装置に関する。
【背景技術】
【０００２】  従来、ペットボトルを用いて鉢植えの植物に水やりなどを行っていたものとしては、特許文献１に示す技術が知られていた。このものは、ペットボトルを倒立させ、そのキャップの天面に浸透芯材を詰め込んだ通水パイプを挿通し、そのパイプを通じてペットボトルの内容物を滴下させるように構成されており、給水される水等の点滴量は、蛇腹状部を備えた前記通水パイプの露出長さを変えることによって増減させていた。【０００３】  しかし、この従来技術にあっては、キャップの天面に挿通した通水パイプの保持位置が、蛇腹状部をキャップの挿通部すなわちその天面のパイプ保持部との係合により維持されるようになっているため、係合部からは調節されない水等が漏れ出すのみならず、変更することのできる通水パイプの露出長さが、蛇腹の隣り合う山の距離に制約され、点滴量の微細な調節を行うことはできなかった。特に、長期間家を空けて、植木の水やりなどを自動的にできる装置に頼らなければならないときなどは、点滴量の微細な調節は、過大または過少な給水を嫌う植物にとっては必要不可欠な重大な問題となる。
また、この技術では、地表からパイプ先端までの高さを容易に変えることもできず、通水パイプを複数にしてさまざまな態様での給水を行なうこともできない。
【先行技術文献】
【特許文献】
【０００４】  実用新案登録第３１２９３８４号
【考案の概要】
【考案が解決しようとする課題】
【０００５】  本考案の技術課題は、上記先行技術が有する問題点を解決し、点滴量の微細な調節を行うことができ、かつ、そのように調節された水等を所望の高さから各種の態様で滴下させ、また、本装置全体を安定的に定位置に設置できて、安価でエコ運動にも貢献できるようにしたドリップ装置を得ることにある。
【課題を解決するための手段】
【０００６】  点滴量の微細な調節を行うことができ、かつ、そのように調節された水等を所望の高さから各種の態様で滴下させることができるようにするため、本考案は次の手段を採用した。
上部に水受口を設けた受水槽の底部に１又は複数の導水管を連結し、各導水管には調節弁を取り付け、該導水管の下端近傍をノズル担子の係止部とした。【０００７】  導水管の露出長さなどを変えることなく、点滴量の微細な調節を容易にかつ正確に行うことができるようにするため、本考案では、調節弁を雄ねじとし、その先端を導水管の管路に当接させることができるような形にした。【０００８】  製作費を押さえ安価でエコ運動にも貢献することができるようにするため、本考案は次の手段を採用した。
受水槽の水受口を使用済みのペットボトル等の口部に係合できる形にしたものを、使用済みのペットボトル等と組み合わせられるように構成した。【０００９】  本装置全体を安定的に所望の位置に設置でき、かつ導水管を定位置に保持し地表から導水管先端のノズルまでの高さを極めて容易に変えることもできるようにするため、本考案は次の手段を採用した。
受水槽に支持枠を取り付け、支持枠の先端部に支持棒係合部を設けたものを、下部の両脇に回り止めフィンを具備した支持棒又は導水管を担持するノズル担子と組み合わせられるように構成した。
【考案の効果】
【００１０】  本考案により奏される効果を、実施例の部品符号を付して説明する。
本考案は、受水槽２の上部に水受口１が設けられてあるから、それを使用済みのペットボトル等の口部１２と連結すれば該ボトルの内容物を受水槽２内に受け入れることができるし、それを水道の蛇口（図示を省略。）などと連結すれば受水槽２内に水道水などを受け入れることができる。また、受水槽２の底部９には、１又は複数の導水管３が連結されているから、調節弁４により適量に調節された給水をさまざまな態様で行なうことができる。【００１１】  さらに、導水管３の下端近傍はノズル担子５の係止部１０としてあるから、必要に応じて、ノズル担子５を導水管３の下端近傍に係止させ、ノズル１１の先端の高さを自由に定めることができる。
また、叙上の各部品は、一体的なものとして組み立てられるから、後述する支持棒８などを用いずに、天井や敷居や窓枠等から吊り下げたり、基台に柱を立設したスタンドを準備し、その柱に懸架したりすることができる。【００１２】  本考案は、調節弁４を雄ねじとし、その先端を導水管３の管路に当接させることができるようにしてあるから、捩子を回転させると、捩子はその周面のつる巻線に沿って軸方向に少しずつ前方に進む。そして、その先端は導水管３の管路に少しずつ近づき、やがて管路を少しずつ閉鎖し、最後は完全に閉鎖する。それ故、管路を流れる水等の量は微細に調節され、最後は完全にゼロにすることができる。【００１３】  本考案は、受水槽２の水受口１を使用済みのペットボトル等の口部１２に係合できる形にしてあるため、（水道の蛇口に連結するときは該蛇口に係合できる形にするのはいうまでもないが、）使用済みのペットボトルを用いるときは水受口１をそのボトルの口部１２に適合する形にし、他の使用済みの容器を用いるときは水受口１をその容器の口部に適合する形にして、使用済みのものが再利用できるようになるから、環境保全等のエコ運動に貢献でき、合わせて製作費も節減できる。
なお、使用されるペットボトルは、２８０ｍｌ、３５０ｍｌ、５００ｍｌ等のサイズのものが一般に用いられているが、最も普遍的なのは、３５０ｍｌのものである。５００ｍｌのものは、小型の植木鉢用としてはあまり向いていないが、バランスを考慮して使用すれば差支えはない。【００１４】  本考案は、受水槽２の支持枠６とそれに係合する支持棒８とで、本装置全体を支持できるようになっているため、支持棒８を地面に突き刺せば装置全体を所望の位置に安定的に設置することができる。
例えば、植木鉢に植えた花卉などの手入れや観賞の邪魔になるときは、植木鉢が置かれた場所に隣する地面に支持棒８を突き刺し、装置全体を植木鉢に隣接させ、導水管３のみを植木鉢の内側に引き入れて給水を行わせることができる。【００１５】  支持棒８が傾くとそれが回転し装置が倒れかけることがあるが、支持棒８の下部の両脇には回り止めフィン７が具備されているから、その回転を阻止し装置を立ち位置に保持することができる。なお、支持棒が傾いて回転するのは、ペットボトル等と受水槽２の重心が支持棒８の中心線を含む鉛直面から外方へ外れたときに起こる現象であると認められる。
ノズル担子５は、ノズル１１の先端が地表に接触して先端の開口部が汚染したり塞がれたりすることがないようにし、さらには、風などを受けて導水管３が揺動し水等が散逸したりするのを阻止することができる。
【図面の簡単な説明】
【００１６】
【図１】は、本考案の実施例の側面図である。
【図２】は、本考案の実施例を構成する各部品とそれらの部品が関連し合って組み立てられる様子を示す。
【図３】（ａ）、（ｂ）は、点滴量の微細な調節を行うことができるように形作られた調節弁４の二つの実施例を示す。
【図４】（ａ）、（ｂ）は、調整弁４により点適量を調節する機構を要部を断面して図解した側面図で、同図（ｃ）は前記（ｂ）の調整弁４の断面図である。
【図５】（ａ）、（ｂ）、（ｃ）、（ｄ）は、導水管３を複数にし、地表からノズル１１までの高さを容易に変えてさまざまな態様での給水を行なっている本考案の使用状態を示す。
【実施例】
【００１７】  本考案の調節弁４は、公知のものでもネジ込み式であればある程度の調節はできるが、微細な調節を行うには、図３（ａ）、（ｂ）又は図４（ａ）、（ｂ）に示すような特製品を用いることが推奨される。導水管４の素材は、ゴムや合成樹脂などでもよいが、耐久性その他の機能からみるとシリコンチユーブが最適である。ノズル担子５の係止部１０は、図面では環状の突条を示したが、ノズル担子５の担持部１５が摩擦力等によって導水管４に係止できるときは、突条を設けなくとも良いのは勿論である。【００１８】  図４（ａ）、（ｂ）に示す導水管３は、その上端が受水槽２の底より上方に突出している。これは、ペットボトルの底に溜まった塵埃などが導水管３に吸い込まれるのを防ぐためである。導水管３の下端のノズル１１の径は一般に小さいから、水等の中に不純物が含まれている場合には、この構成は特に重要なものとなる。【００１９】  図３（ｂ）又は図４（ａ）に示す調節弁４の雄ねじの先端は楔形にしてある。該雄ねじが当接する導水管３の管路は、図４（ａ）に示すように受水槽２と一体的に形成する。図３（ａ）又は図４（ｂ）に示す雄ねじの先端は球面の形にしてある。該雄ねじは、弾力性のある例えばシリコンチューブの側面にソフトに当接できるように構成する。そうすれば、図４（ｃ）に示すように、チューブを徐々に閉鎖させることができる。
なお、調節弁４は、上記二例に示す雄ねじに限らず、管路を徐々に閉鎖できるようなものでありさえすれば、公知の弁を採用しても差支えはない。【００２０】  本考案は、水道の蛇口に受水槽２の水受口１を差込んで使用することもできるが、ペットボトル等と組み合わせて給水するときには、次のようにして組み立てる。（なお、水受口１の形状は、使用を予定しているペットボトル等の口部１２のそれに合致するように予め整形しておかねばならない。）
まず、使用済みのペットボトル等の底に押しピン等で空気孔を開ける。次いで、その空気孔を指で塞ぎ水等を入れ、ペットボトル等の口部１２に受水槽２の水受口１を差込んで（図２の矢印参照。）からそれらを倒立させ、必要箇所例えば植木鉢などの又は鉢の隣の地面上に設置する（図１を参照）。本装置を定位置に設置したまま長期間継続的に使用する場合には、前記の空気孔を大きめ（例えば、直径２〜３ｃｍくらいの穴）にして、その孔から水差し等で追加給水をすればよい。【００２１】  調節弁４に雄ねじを使用した場合の点滴量の微細な調節は、上記のようにして組み立てた後、雄ねじを、まず一度左に回して次ぎにゆっくりと右に左に回し水滴の落ちるのを目視しながらその適量を調節する。その量は勿論、給水を受ける植物の性質や灌水される地面の広さや土質などにより決められなければならないが、一般には、一分半に一滴が落ちるくらいが一応の目安となる。【００２２】  本考案の支持棒８は、図２に示すように支柱１３と両脇に回り止めフィン７を具備したペッグ１４とから成るものとすることができる。そしてこれらは、同図に示すように差し込んで一体にし、それを支持枠６の支持棒係合部１６に差し込んで組み立てる。このように構成すれば、それらは不使用時には分解できるから、装置の清拭や収納や運搬に便利になる。【００２３】  ノズル担子５は、図２その他で示すように、一端を地面に突き刺せる形にし、他端の導水管３の担持部１５は、導水管４の管径よりも僅か狭くした間隙から押し込めるような形にすることが望ましい。そのようにすれば、ノズル担子５が導水管３から妄りに外れなくなる。
ノズル担子５の係止部１０は、担持部１５からノズル１１の先端までの距離の基点となるものであるから、図１、図５では、担持部１５の前方（ノズル１１の先端に近い側）に描いてあるが、担持部１５の後方に位置させることもできる。【００２４】  なお、普通一般的に用いられるノズルとしては、径が０．３ｍｍ、０．５ｍｍ、１ｍｍのものがあり、それにより給水される水滴の大きさが決まるから、給水を受ける植物や地面の性質等を考慮し、最適の径の物が選ばれなければならない。また、一端を０．５ｍｍの径とし他端を１ｍｍの径としたノズルを用いれば、必要に応じ、上下を反転させて導水管３に差し込み、一個のノズルで２種の大きさの水滴を交互に得ることができる。
【符号の説明】
【００２５】  １    水受口
２    受水槽
３    導水管
４    調節弁
５    ノズル担子
６    支持枠
７    回り止めフィン
８    支持棒
９    受水槽の底部
１０  ノズル担子の係止部
１１  ノズル
１２  ペットボトル等の口部
１３  支柱
１４  ペッグ
１５  担持部
１６  支持棒係合部
【図１】
0003153874.tif 000003
【図２】
0003153874.tif 000004
【図３】
0003153874.tif 000005
【図４】
0003153874.tif 000006
【図５】
0003153874.tif 000007